(57)【要約】      （修正有）【課題】過電流が流れたとき、過電流に起因する外部端子の温度上昇を抑えることができる蓄電装置の提供。【解決手段】外部端子を有する複数の蓄電素子と、板状の導通部を有するバスバ８と、蓄電素子間に配置される隣接部材と、を備え、導通部８Ａは、導通部８Ａによって接続される一方の外部端子から他方の外部端子に向かう所定方向に延びる一対の端縁によって幅寸法が規定され、且つ幅寸法が導通部８Ａの他の部位より小さな溶断可能部８１Ａと、溶断可能部８１Ａの両側に連接されると共に、溶断可能部８１Ａから離れるに従って幅寸法が大きくなる一対の拡幅部８２Ａと、を有し、溶断可能部８１Ａは、隣接部材と重なる位置に配置され、隣接部材の所定方向の寸法は、溶断可能部８１Ａの所定方向の寸法以上である蓄電装置。【選択図】図７
2019029309.tif 000002
【特許請求の範囲】
【請求項１】
外部端子を有する複数の蓄電素子と、
異なる蓄電素子の外部端子同士を導通可能に接続する板状の導通部を有するバスバと、
前記バスバによって外部端子同士が接続されている蓄電素子間に配置される隣接部材と、を備え、
前記導通部は、
該導通部によって接続される一方の外部端子から他方の外部端子に向かう所定方向に延びる一対の端縁によって前記所定方向と直交する方向の寸法である幅寸法が規定され、且つ該幅寸法が該導通部の他の部位より小さな溶断可能部と、
前記所定方向において前記溶断可能部の両側に連接されると共に、前記溶断可能部から離れるに従って幅寸法が大きくなる一対の拡幅部と、を有し、
前記溶断可能部は、前記隣接部材と重なる位置に配置され、
前記隣接部材の前記所定方向の寸法は、前記溶断可能部の前記所定方向の寸法以上である、蓄電装置。
【請求項２】
前記導通部は、前記所定方向において前記一対の拡幅部の外側に連接されると共に、前記拡幅部から離れるに従って幅寸法が大きくなる一対の応力緩和部を有し、
該導通部の幅方向における一対の端縁は、前記拡幅部と前記応力緩和部との境界位置で屈曲している、請求項１に記載の蓄電装置。
【請求項３】
前記バスバの周囲を囲む部材を備える、請求項１又は２に記載の蓄電装置。
【請求項４】
前記蓄電素子は、電極体と、該電極体と前記外部端子とを接続する集電体と、を有し、
前記溶断可能部の前記所定方向の寸法と前記幅寸法は、過電流が流れたときに該溶断可能部が前記集電体より先に溶断する寸法に設定されている、請求項１〜３のいずれか１項に記載の蓄電装置。
【請求項５】
前記溶断可能部の一対の端縁のそれぞれは、前記所定方向に直線状に延びている、請求項１〜４のいずれか１項に記載の蓄電装置。
【請求項６】
請求項１〜５のいずれか１項に記載の蓄電装置と、
前記蓄電装置が搭載される移動体本体と、
前記蓄電装置から供給される電力によって前記移動体本体を駆動する駆動部と、を備え、
前記蓄電装置は、前記バスバの前記溶断可能部の下方に前記隣接部材が位置するように配置される、移動体。
【請求項７】
請求項１〜５のいずれか１項に記載の蓄電装置と、
前記蓄電装置が載置される蓄電システム本体と、
前記蓄電装置と接続され、且つ、外部から電力の入力及び外部への電力の出力が可能な入出力端子と、を備え、
前記蓄電装置は、前記バスバの前記溶断可能部の下方に前記隣接部材が位置するように配置される、蓄電システム。
【発明の詳細な説明】
【技術分野】
【０００１】
本発明は、外部端子同士がバスバによって接続されている複数の蓄電素子を備える蓄電装置に関する。
【背景技術】
【０００２】
従来から、図１２に示すような複数の二次電池１０１がバスバ１０６によって接続されている蓄電モジュール１００が知られている（特許文献１参照）。
【０００３】
二次電池１０１は、ケース１０２を備え、ケース１０２には電極組立体が収容されている。電極組立体は、正極電極と負極電極の間にこれらを絶縁するセパレータを介在させて層状とした積層構造を有する。また、二次電池１０１は、電極組立体と電気の授受を行う正極端子構造１０３及び負極端子構造１０４を備える。これら正極端子構造１０３及び負極端子構造１０４は、ケース１０２の外側に配置された外部接続端子１０５を備える。この外部接続端子１０５は、ケース１０２の外側でバスバ１０６を固定可能とし、この固定により、バスバ１０６は、隣り合う二次電池１０１の外部接続端子１０５同士を接続する。
【０００４】
以上の蓄電モジュール１００において、過電流が流れると、正極端子構造１０３及び負極端子構造１０４の温度上昇によってこれら正極端子構造１０３及び負極端子構造１０４とケース１０２との間の気密性を確保するための部材（ガスケット等）の気密性が低下することがある。
【先行技術文献】
【特許文献】
【０００５】
【特許文献１】特開２０１６−１９７５２１号公報
【発明の概要】
【発明が解決しようとする課題】
【０００６】
そこで、本実施形態は、過電流が流れたときの該過電流に起因する外部端子の温度上昇を抑えることができる蓄電装置を提供することを目的とする。
【課題を解決するための手段】
【０００７】
本実施形態の蓄電装置は、
外部端子を有する複数の蓄電素子と、
異なる蓄電素子の外部端子同士を導通可能に接続する板状の導通部を有するバスバと、
前記バスバによって外部端子同士が接続されている蓄電素子間に配置される隣接部材と、を備え、
前記導通部は、
該導通部によって接続される一方の外部端子から他方の外部端子に向かう所定方向に延びる一対の端縁によって前記所定方向と直交する方向の寸法である幅寸法が規定され、且つ該幅寸法が該導通部の他の部位より小さな溶断可能部と、
前記所定方向において前記溶断可能部の両側に連接されると共に、前記溶断可能部から離れるに従って幅寸法が大きくなる一対の拡幅部と、を有し、
前記溶断可能部は、前記隣接部材と重なる位置に配置され、
前記隣接部材の前記所定方向の寸法は、前記溶断可能部の前記所定方向の寸法以上である。
【０００８】
このように、所定方向に延びる一対の端縁を有する部位（溶断可能部）の両側に幅寸法が拡がる拡幅部を設けることで、溶断可能部で生じた熱が該溶断可能部にこもりやすく、しかも、拡幅部まで熱が伝わると拡散する（逃げ易くなる）。このため、導通部において熱が生じた場合に、溶断可能部に熱がこもって温度が十分に上昇する一方、拡幅部の温度が溶断可能部の温度より十分に低くなる。これにより、過電流が流れてバスバの温度が上昇したときに、高温になった溶断可能部が素早く溶断して当該蓄電装置における過電流が流れる経路が迅速に遮断され、その結果、過電流に起因する外部端子の温度上昇が好適に抑えられる。
【０００９】
前記蓄電装置では、
前記導通部は、前記所定方向において前記一対の拡幅部の外側に連接されると共に、前記拡幅部から離れるに従って幅寸法が大きくなる一対の応力緩和部を有し、
該導通部の幅方向における一対の端縁は、前記拡幅部と前記応力緩和部との境界位置で屈曲していてもよい。
【００１０】
このように、導電部の外部端子に固定される部位（固定部）と溶断可能部との間に応力緩和部と拡幅部とを設け、これら応力緩和部と拡幅部とを通じて幅寸法を小さくする（幅寸法を徐々に小さくする）ことで、固定部と溶断可能部との間に拡幅部のみを設けて該拡幅部のみで幅寸法を急激に小さくする場合に比べ、導電部における固定部と溶断可能部との間での応力集中を抑えることができる。
【００１１】
しかも、導通部の一対の端縁を応力緩和部と拡幅部との境界位置で屈曲させる、即ち、拡幅の度合いを変えることで、溶断可能部から固定部側への熱の伝わり方（逃げ具体）や応力の各位置での大きさ（応力の分布）を調整し易くなる。即ち、拡幅部において熱の拡散（逃げ易さ）を考慮した拡幅を行い、応力緩和部において応力集中を防ぐことを考慮した拡幅を行うことで、前記熱の逃げ具合や応力の分布を調整し易くなる。
【００１２】
前記蓄電装置では、
前記バスバの周囲を囲む部材を備えてもよい。
【００１３】
かかる構成によれば、溶けたバスバが蓄電素子の上に落ちるのをより確実に防ぐことができる。
【００１４】
また、前記蓄電装置では、
前記蓄電素子は、電極体と、該電極体と前記外部端子とを接続する集電体と、を有し、
前記溶断可能部の前記所定方向の寸法と前記幅寸法は、過電流が流れたときに該溶断可能部が前記集電体より先に溶断する寸法に設定されていてもよい。
【００１５】
かかる構成のように、過電流が流れて蓄電装置の各部位の温度が上昇するような状況のときにバスバを集電体より優先的に溶断させることで、集電体の溶断、即ち、蓄電素子自体の損傷を防ぐことができる。
【００１６】
また、前記蓄電装置では、
前記溶断可能部の一対の端縁のそれぞれは、前記所定方向に直線状に延びていてもよい。
【００１７】
このように、溶断可能部の一対の端縁のそれぞれが所定方向に真っ直ぐ延びている（即ち、平行である）場合、所定方向の中心部から外側に向かうにつれて幅寸法の大きくなる溶断可能部（バスバ）に比べ、溶断可能部の所定方向の中心部で生じた熱が拡幅部側に逃げ難いため熱がよりこもり易く、これにより、第一バスバに過電流が流れたときに溶断可能部がより素早く溶断して該過電流の流れる経路がより迅速に遮断される。
【００１８】
本実施形態の移動体は、
上記のいずれかの蓄電装置と、
前記蓄電装置が搭載される移動体本体と、
前記蓄電装置から供給される電力によって前記移動体本体を駆動する駆動部と、を備え、
前記蓄電装置は、前記バスバの前記溶断可能部の下方に前記隣接部材が位置するように配置される。
【００１９】
かかる構成によれば、当該移動体に搭載された蓄電素子において、過電流が流れてバスバの温度が上昇したときに、高温になった溶断可能部が素早く溶断して当該蓄電装置における過電流が流れる経路が迅速に遮断され、その結果、過電流に起因する外部端子の温度上昇が好適に抑えられる。
【００２０】
本実施形態の蓄電システムは、
上記のいずれかの蓄電装置と、
前記蓄電装置が載置される蓄電システム本体と、
前記蓄電装置と接続され、且つ、外部から電力の入力及び外部への電力の出力が可能な入出力端子と、を備え、
前記蓄電装置は、前記バスバの前記溶断可能部の下方に前記隣接部材が位置するように配置される。
【００２１】
かかる構成によれば、当該蓄電システムに載置された蓄電装置において、過電流が流れてバスバの温度が上昇したときに、高温になった溶断可能部が素早く溶断して当該蓄電装置における過電流が流れる経路が迅速に遮断され、その結果、過電流に起因する外部端子の温度上昇が好適に抑えられる。
【発明の効果】
【００２２】
以上より、本実施形態によれば、過電流が流れたときの該過電流に起因する外部端子の温度上昇を抑えることができる蓄電装置を提供することができる。
【図面の簡単な説明】
【００２３】
【図１】図１は、第一実施形態に係る蓄電装置の斜視図である。
【図２】図２は、バスバを保持したカバー部材を分離させた状態の前記蓄電装置の斜視図である。
【図３】図３は、前記バスバを保持した状態の前記カバー部材の斜視図である。
【図４】図４は、前記バスバ及び前記カバー部材を取り外した状態の蓄電装置の分解斜視図である。
【図５】図５は、前記蓄電装置が備える蓄電素子の斜視図である。
【図６】図６は、前記蓄電素子の分解斜視図である。
【図７】図７は、第一バスバの斜視図である。
【図８】図８は、前記第一バスバのＺ軸方向視の図である。
【図９】図９は、図２のＩＸ−ＩＸ位置における断面の一部拡大図である。
【図１０】図１０は、第二実施形態に係る移動体を説明するための模式図である。
【図１１】図１１は、第三実施形態に係る蓄電システムを説明するための模式図である。
【図１２】図１２は、従来の蓄電モジュールを説明するための図である。
【発明を実施するための形態】
【００２４】
以下、本発明の第一実施形態について、図１〜図９を参照しつつ説明する。尚、本実施形態の各構成部材（各構成要素）の名称は、本実施形態におけるものであり、背景技術における各構成部材（各構成要素）の名称と異なる場合がある。
【００２５】
蓄電装置は、図１〜図４に示すように、外部端子１４を有する複数の蓄電素子１０と、異なる蓄電素子１０の外部端子１４同士を導通可能に接続するバスバ８と、を備える。また、蓄電装置１は、蓄電素子１０と隣接する複数の隣接部材２と、複数の蓄電素子１０と複数の隣接部材２とをひとまとめに保持する保持部材４と、複数の蓄電素子１０と保持部材４との間に配置されるインシュレータ６と、を備える。本実施形態の蓄電装置１は、バスバ８を囲む部材、具体的には、バスバ８を保持し且つ蓄電素子１０の外部端子の配置された部位に沿って広がるカバー部材７を備える。
【００２６】
複数の蓄電素子１０は、所定の方向（Ｘ軸方向）に並ぶ。これら複数の蓄電素子１０のそれぞれは、一次電池、二次電池、キャパシタ等である。本実施形態の蓄電素子１０は、充放電可能な非水電解質二次電池である。より具体的には、蓄電素子１０は、リチウムイオンの移動に伴って生じる電子移動を利用したリチウムイオン二次電池である。
【００２７】
蓄電素子１０は、図５及び図６に示すように、電極体１２と、電極体１２を電解液と共に収容するケース１３と、少なくとも一部がケース１３の外側に露出する外部端子１４と、電極体１２と外部端子１４とを接続する集電体１５と、電極体１２とケース１３との間に配置されるケース内絶縁体１６と、を備える。
【００２８】
電極体１２では、正極と負極とがセパレータを介して交互に積層されている。本実施形態の電極体１２は、長尺な正極及び負極が長尺なセパレータを介して交互に積層された状態で巻回されている、いわゆる捲回型の電極体である。この電極体１２においてリチウムイオンが正極と負極との間を移動することにより、蓄電素子１０が充放電する。
【００２９】
ケース１３は、開口を有するケース本体１３１と、ケース本体１３１の開口を塞ぐ（閉じる）板状の蓋板１３２と、を有する。本実施形態のケース本体１３１は、有底角筒状であり、ケース１３は、直方体形状（六面形状）である。本実施形態のケース１３は、扁平な直方体形状であり、複数の蓄電素子１０は、ケース１３（ケース本体１３１）の幅広な面（壁部）を対向させた状態で、Ｘ軸方向に並んでいる。
【００３０】
集電体１５は、外部端子１４と通電可能に接続される第一接続部１５１と、電極体１２と通電可能に接続される第二接続部１５２と、第一接続部１５１と第二接続部１５２とを接続する屈曲部１５３と、を有する。集電体１５では、屈曲部１５３がケース１３内の蓋板１３２とケース本体１３１との境界近傍に配置され、第一接続部１５１が屈曲部１５３から蓋板１３２に沿って延びると共に、第二接続部１５２が屈曲部１５３からケース本体１３１に沿って延びる。第二接続部１５２における大電流が流れたときに最も溶断し易い部位では、所定のバスバ８（後述する第一バスバ８Ａ）が溶断する大きさの過電流が蓄電装置１に流れても、前記バスバ８より先に溶断しないような寸法（断面積や幅、厚さ等）や材質、抵抗値等が設定されている。
【００３１】
以下では、複数の蓄電素子１０が並ぶ方向を直交座標系のＸ軸、ケース本体１３１の幅狭な一対の面（壁部）が対向する方向を直交座標系のＹ軸、蓋板１３２の法線方向を直交座標系のＺ軸とする。
【００３２】
隣接部材２は、図１、図２及び図４に示すように、Ｘ軸方向に並ぶ蓄電素子１０の間、又は蓄電素子１０と該蓄電素子１０に対してＸ軸方向に並ぶ部材（本実施形態の例では、保持部材４の一部）との間に配置される。この隣接部材２は、複数種の隣接部材を含む。本実施形態の隣接部材２は、Ｘ軸方向の途中位置にある蓄電素子１０と隣接する第一の隣接部材２１と、Ｘ軸方向において最も端にある蓄電素子１０の外側で該蓄電素子１０と隣接する第二の隣接部材２２と、Ｘ軸方向において第一の隣接部材２１と第二の隣接部材２２との間にある蓄電素子１０と隣接する第三の隣接部材２３と、を含む。
【００３３】
第一の隣接部材２１は、絶縁性を有し、バスバ８によって外部端子１４同士が接続されている蓄電素子１０間に配置される。これにより、第一の隣接部材２１を介してＸ軸方向に並ぶ蓄電素子１０の間に、所定の間隔（沿面距離等）が確保される。この第一の隣接部材２１は、保持部材４に連結（固定）されている。
【００３４】
具体的に、第一の隣接部材２１は、隣り合う蓄電素子１０の間に配置される板状の第一本体部２１１と、第一本体部２１１と隣り合う蓄電素子１０の該第一本体部２１１に対する移動を規制する第一規制部２１２と、を有する。また、第一の隣接部材２１は、保持部材４と係合する係合部２１３を備える。
【００３５】
第一本体部２１１は、蓄電素子１０のケース１３の幅広面と対向する部位であり、Ｙ−Ｚ面（Ｙ軸とＺ軸とを含む面）方向に広がる。本実施形態の第一本体部２１１は、隣接する蓄電素子１０との間に温度調整用の流体（本実施形態の例では空気）が流通可能な流路を形成する。また、第一本体部２１１は、Ｙ軸方向の両端のそれぞれに、保持部材４が固定（連結）される連結部２１１Ａを有する。本実施形態の第一本体部２１１のＸ軸方向の寸法（厚さ）は、第二の隣接部材２２及び第三の隣接部材２３における第一本体部２１１に相当する各部位のＸ軸方向の寸法（厚さ）より大きい。本実施形態の第一本体部２１１のＸ軸方向の寸法は、後述する第一バスバ８Ａの溶断可能部８１ＡのＸ軸方向の寸法以上である。
【００３６】
連結部２１１Ａは、ボルトＢが保持部材４を貫通した状態でねじ込まれる。蓄電装置１では、このボルトＢの連結部２１１Ａへのねじ込みにより、第一本体部２１１（第一の隣接部材２１）と保持部材４とが連結される。本実施形態の連結部２１１Ａは、第一本体部２１１のＹ軸方向の端部に埋め込まれたナットを含む。
【００３７】
第一規制部２１２は、第一本体部２１１からＸ軸方向に延び、第一本体部２１１と隣接する蓄電素子１０（詳しくはケース１３）とＹ−Ｚ面方向の外側から当接することによって該蓄電素子１０の第一本体部２１１に対するＹ−Ｚ面方向への相対移動を規制する。本実施形態の第一規制部２１２は、第一本体部２１１からＸ軸方向の両側に向けてそれぞれ延びている。
【００３８】
係合部２１３は、第一本体部２１１のＹ軸方向の端から外側に向けて延び、保持部材４と係合する。本実施形態の係合部２１３は、第一本体部２１１のＹ軸方向の両端から外側に向けてそれぞれ延びている軸状の部位である。この係合部２１３は、保持部材４において該係合部２１３と対応する部位に設けられた貫通孔４２１Ｂを挿通することで、保持部材４と係合する。
【００３９】
第二の隣接部材２２は、絶縁性を有し、Ｘ軸方向において蓄電素子１０と保持部材４（終端部材４１）との間に配置されることで蓄電素子１０と保持部材４（終端部材４１）との間の間隔（沿面距離等）を確保する。具体的に、第二の隣接部材２２は、蓄電素子１０及び保持部材４との間において蓄電素子１０と隣接する第二本体部２２１と、第二本体部２２１に対する蓄電素子１０の移動を規制する第二規制部２２２と、を有する。
【００４０】
第二本体部２２１は、Ｘ軸方向の端部に配置された蓄電素子１０のケース１３における幅広面と対向する部位であり、Ｙ−Ｚ面方向に広がる。本実施形態の第二本体部２２１は、隣接する蓄電素子１０との間に温度調整用の流体（本実施形態の例では空気）が流通可能な流路を形成する。
【００４１】
第二規制部２２２は、第二本体部２２１からＸ軸方向に延び、第二本体部２２１と隣接する蓄電素子１０（詳しくはケース１３）とＹ−Ｚ面方向の外側から当接することによって該蓄電素子１０の第二本体部２２１に対するＹ−Ｚ面方向への相対移動を規制する。
【００４２】
第三の隣接部材２３は、絶縁性を有し、第一の隣接部材２１と第二の隣接部材２２との間において隣り合う蓄電素子１０間に配置されることで該蓄電素子１０間の間隔（沿面距離等）を確保する。具体的に、第三の隣接部材２３は、蓄電素子１０（ケース本体１３１）と隣接する第三本体部２３１と、第三本体部２３１に対する蓄電素子１０の移動を規制する第三規制部２３２と、を有する。
【００４３】
第三本体部２３１は、蓄電素子１０のケース１３の幅広面と対向する部位であり、Ｙ−Ｚ面方向に広がる。本実施形態の第三本体部２３１は、隣接する蓄電素子１０との間に温度調整用の流体（本実施形態の例では空気）が流通可能な流路を形成する。
【００４４】
第三規制部２３２は、第三本体部２３１からＸ軸方向に延び、第三本体部２３１と隣接する蓄電素子１０（詳しくはケース１３）とＹ−Ｚ面方向の外側から当接することによって該蓄電素子１０の第三本体部２３１に対するＹ−Ｚ面方向への相対移動を規制する。
【００４５】
保持部材４は、複数の蓄電素子１０と複数の隣接部材２との周囲を囲むことで、これら複数の蓄電素子１０及び複数の隣接部材２をひとまとめに保持する。この保持部材４は、金属等の導電性を有する部材によって構成される。具体的に、保持部材４は、Ｘ軸方向において複数の蓄電素子１０の両側に配置される一対の終端部材（終端部）４１と、一対の終端部材４１を連結する連結部材４２と、を有する。
【００４６】
一対の終端部材４１のそれぞれは、Ｘ軸方向の端に配置された蓄電素子１０との間に第二の隣接部材２２を挟み込むように配置される。この終端部材４１は、Ｙ−Ｚ面方向に広がる。具体的に、終端部材４１は、蓄電素子１０と対応する輪郭（本実施形態では矩形状の輪郭）を有する本体４１１と、本体４１１から第二の隣接部材２２（第二本体部２２１）に向けて突出し且つ該第二の隣接部材２２に当接して該第二の隣接部材２２を押圧する圧接部４１２と、を有する。
【００４７】
一対の連結部材４２は、Ｙ軸方向において複数の蓄電素子１０の両側に配置される。これら一対の連結部材４２のそれぞれは、Ｘ軸方向に延び且つＺ軸方向に間隔をあけて配置される一対の梁部４２０と、Ｘ軸方向における途中位置（本実施形態の例では、Ｙ軸方向から見て第一の隣接部材２１と重なる位置）において一対の梁部４２０同士を連結する第一連結部４２１と、一対の梁部４２０の端部同士を連結する一対の第二連結部４２２と、を有する。また、連結部材４２は、第一連結部４２１と第二連結部４２２との間で一対の梁部４２０を連結する第三連結部４２３も有する。本実施形態の連結部材４２は、複数の第三連結部４２３を有する。
【００４８】
一対の梁部４２０のそれぞれは、Ｘ軸方向に並ぶ複数の蓄電素子１０（ケース１３）の各角部に沿って延びる。第一連結部４２１は、Ｚ軸方向に延び、第一の隣接部材２１の連結部２１１Ａ及び係合部２１３と対応する位置（具体的には、Ｙ軸方向から見て重なる位置）に貫通孔４２１Ａ、４２１Ｂを有する。貫通孔４２１Ａには、ボルトＢが挿通され、該ボルトＢは、第一の隣接部材２１の連結部２１１Ａにねじ込まれ、これにより、連結部材４２と第一の隣接部材２１とが連結される。また、貫通孔４２１Ｂには、第一の隣接部材２１の係合部２１３が挿通される。第二連結部４２２は、Ｚ軸方向に延び、終端部材４１と連結される。これにより、終端部材４１と連結部材４２とが接続（連結）される。第三連結部４２３は、Ｙ軸方向から見て蓄電素子１０と重なる位置においてＺ軸方向に延びる。
【００４９】
インシュレータ６は、絶縁性を有する。このインシュレータ６は、連結部材４２と、複数の蓄電素子１０との間に配置される。具体的に、インシュレータ６は、連結部材４２における少なくとも複数の蓄電素子１０と対向する領域を覆う。これにより、インシュレータ６は、連結部材４２と、複数の蓄電素子１０との間を絶縁する。
【００５０】
バスバ８は、金属等の導電性を有する板状の部材である。バスバ８は、蓄電素子１０の外部端子１４同士を導通させる。バスバ８は、蓄電装置１において複数（複数の蓄電素子１０と対応する数）設けられる。本実施形態の複数のバスバ８は、蓄電装置１に含まれる複数の蓄電素子１０の全てを直列に接続する（導通させる）。このバスバ８は、第一の隣接部材２１を介して（挟んで）隣り合う蓄電素子１０の外部端子１４同士を接続する第一バスバ８Ａと、第三の隣接部材２３を介して（挟んで）隣り合う蓄電素子１０の外部端子１４同士を接続する第二バスバ８Ｂと、を含む。
【００５１】
第一バスバ８Ａは、異なる蓄電素子１０の外部端子１４同士を導通可能に接続する板状の導通部を有する。本実施形態の第一バスバ８Ａは、導通部のみによって構成され、Ｘ軸方向の両端が外部端子１４に溶接されている。これにより、第一の隣接部材２１を介して隣り合う蓄電素子１０の外部端子１４同士が導通する。
【００５２】
具体的に、第一バスバ８Ａは、図７及び図８にも示すように、蓄電装置１に過電流が流れたときに溶断する溶断可能部８１Ａと、第一バスバ８Ａにおいて溶断可能部８１Ａ（即ち、蓄電装置１に過電流が流れたときに溶断する部位）の範囲を規定する一対の拡幅部８２Ａと、を有する。本実施形態の第一バスバ８Ａは、振動や加速等によって外部端子１４同士が接続された蓄電素子１０同士の間隔や相対位置の変化等によって第一バスバ８Ａに生じる応力を抑える（緩和する）一対の応力緩和部８３Ａを有する。
【００５３】
溶断可能部８１Ａは、Ｘ軸方向における第一バスバ８Ａの中央部に配置される矩形状の部位である。この溶断可能部８１Ａは、Ｙ軸方向の両端に一対の端縁８１１を有する。これら一対の端縁８１１のそれぞれは、Ｘ軸方向に真っ直ぐ延びている。即ち、一対の端縁８１１は、平行である。溶断可能部８１ＡのＹ軸方向の寸法（幅寸法）は、一対の端縁８１１によって規定される。溶断可能部８１Ａの幅寸法は、第一バスバ８Ａの他の部位（本実施形態の例では、拡幅部８２Ａ及び応力緩和部８３Ａ）より小さい。この溶断可能部８１Ａは、第一バスバ８Ａの他の部位（拡幅部８２Ａ、応力緩和部８３Ａ）より幅寸法を小さくすることで、蓄電装置１に過電流が流れたときに、他の部位より先に溶断する。
【００５４】
この溶断可能部８１Ａの大きさ（幅寸法とＸ軸方向の長さ寸法等）は、溶断可能部８１Ａを溶断させたい電流値に基づいて設定されている。本実施形態の例では、溶断可能部８１Ａが溶断する電流値は、集電体１５が溶断する電流値より小さい。
【００５５】
具体的には、溶断可能部８１Ａは、長さ寸法が大きい程、拡幅部８２Ａや応力緩和部８３Ａ等の溶断可能部８１Ａに隣接し且つ溶断可能部８１Ａより幅寸法（断面積）の大きな部位に溶断可能部８１Ａで生じた熱が逃げ難くなる（長さ方向（Ｘ軸方向）の中心部側で生じた熱程、逃げ難くなる）ため、より小さな電流値で溶断する。また、溶断可能部８１Ａは、断面積（電流の流れる方向と直交する断面の面積）が小さい程、溶断可能部８１Ａに隣接し且つ溶断可能部８１Ａより断面積の大きな部位に溶断可能部８１Ａで生じた熱が逃げ難くなるため、より小さな電流値で溶断する。以上のような点等を考慮して溶断可能部８１Ａの各寸法が設定されるが、一対の端縁８１１を真っ直ぐにする（即ち、Ｘ軸方向の各位置における断面積が同じになる）ことで、溶断させたい電流値にあわせた寸法設定が容易になる。
【００５６】
一対の拡幅部８２Ａは、Ｘ軸方向（所定方向）において溶断可能部８１Ａの両側に連接されている。一対の拡幅部８２Ａのそれぞれの幅寸法は、溶断可能部８１Ａから離れる（詳しくは、Ｘ軸方向において離れる）に従って大きくなっている。このように、溶断可能部８１ＡのＸ軸方向の両側に溶断可能部８１Ａより幅寸法の大きな部位（即ち、断面積の大きな部位）を設けることで、第一バスバ８Ａに電流が流れることで生じる熱によって溶断可能部８１Ａの温度が拡幅部８２Ａ等の他の部位の温度より高くなるようにし、これにより、第一バスバ８Ａに大電流が流れたときに溶断する部位（範囲）を限定することができる。本実施形態の拡幅部８２ＡのＹ軸方向の端縁８２０は、円弧状である。
【００５７】
一対の応力緩和部８３Ａは、Ｘ軸方向において一対の拡幅部８２Ａの外側に連接されている。本実施形態の応力緩和部８３Ａは、Ｙ軸方向の端縁の形状によって応力集中を緩和する（抑える）第一部位８３１と、弾性変形によって応力集中を緩和する（抑える）第二部位８３２と、を有する。
【００５８】
第一部位８３１は、拡幅部８２ＡからＸ軸方向の外側に向けて延びる部位である。この第一部位８３１の幅寸法は、拡幅部８２Ａから離れる（詳しくは、Ｘ軸方向において離れる）に従って大きくなっている。第一バスバ８Ａにおいて、幅寸法を拡幅部８２Ａのみによって溶断可能部８１Ａまで急激に小さくするとこの部位に応力が集中し易くなるが、第一部位８３１（応力緩和部８３Ａ）を設けて該第一部位８３１と拡幅部８２Ａとで溶断可能部８１Ａまで幅寸法を徐々に小さくすることで、第一バスバ８Ａにおける当該部位での応力集中を緩和する（抑える）ことができる。
【００５９】
本実施形態の第一部位８３１のＹ軸方向の端縁８３０は、円弧状である。この第一部位８３１と応力緩和部８３Ａとの境界位置において、第一バスバ８ＡのＹ軸方向の端縁は、屈曲している（図８参照）。
【００６０】
第二部位８３２は、外部端子１４に固着される固着部（固定部）８３２１と、固着部８３２１から立ち上がる起立部８３２２と、起立部８３２２から第一部位８３１まで延びる延設部８３２３と、を有する。
【００６１】
固着部８３２１は、Ｘ−Ｙ面（Ｘ軸とＹ軸とを含む面）方向に広がり、中央部に孔８３２１Ａを有する。この孔８３２１Ａの周縁部が、外部端子１４に溶接され、これにより、固着部８３２１が外部端子１４に固着される。
【００６２】
起立部８３２２は、固着部８３２１の溶断可能部８１Ａ側の端部からＺ軸方向に延びる（詳しくは、Ｙ−Ｚ面方向に広がる）。固着部８３２１と起立部８３２２との境界部位は、第一屈曲部８３２５を構成する。
【００６３】
延設部８３２３は、起立部８３２２の先端からＸ軸方向に延びる（詳しくは、Ｘ−Ｙ面方向に広がる）。起立部８３２２と延設部８３２３との境界部位は、第二屈曲部８３２６を構成する。
【００６４】
第二部位８３２では、これら第一屈曲部８３２５と第二屈曲部８３２６とのそれぞれが弾性変形、即ち、折れ曲がり度合い（角度）が変化することで、第一バスバ８Ａにおける応力集中を緩和する（応力集中の発生を抑える）ことができる。
【００６５】
第二バスバ８Ｂは、図３に示すように、矩形の板状である。第二バスバ８Ｂは、Ｘ軸方向の両端に、孔８０Ｂを有する。この孔８０Ｂの周縁部がそれぞれ外部端子１４と溶接されることで第二バスバ８Ｂが外部端子１４に固着され、これにより、第三の隣接部材２３を介して隣り合う蓄電素子１０の外部端子１４同士が導通する。
【００６６】
カバー部材７は、図１〜図３に示すように、複数の蓄電素子１０とＺ軸方向から見て重なる（即ち、複数の蓄電素子１０をＺ軸方向の一方側から覆う）部材である。本実施形態のカバー部材７は、樹脂製であり、Ｚ軸方向から見て略矩形状である。
【００６７】
具体的に、カバー部材７は、各バスバ８の周囲を囲む複数の区画部７１と、区画部７１の開口を塞ぐ複数の蓋部７２と、電線等が配置される配線部７３と、を有する。本実施形態のカバー部材７では、Ｘ軸方向に並ぶ区画部７１の列がＹ軸方向に間隔を空けて二列配置される。
【００６８】
複数の区画部７１のそれぞれは、バスバ８の周囲を囲み（詳しくは、バスバ８及び該バスバ８が接続されている二つの外部端子１４をＸ−Ｙ面方向の外側から囲み）、該バスバ８を保持する。本実施形態の区画部７１は、第一バスバ８Ａを囲む第一区画部７１１と、第二バスバ８Ｂを囲む第二区画部７１２とを含む。
【００６９】
第一区画部７１１は、第一バスバ８Ａを囲む角筒状である。この第一区画部７１１の蓄電素子１０側の端部では、図１〜図３及び図９に示すように、Ｚ軸方向から見て外部端子１４と重なる領域（部位：図９のαで示す領域）が開口し、他の領域（Ｚ軸方向から見て第一バスバ８Ａの溶断可能部８１Ａ、拡幅部８２Ａと重なる位置：図９のβで示す領域）が塞がれている。一方、第一区画部７１１の蓄電素子１０とは反対側の端部では、第一区画部７１１に囲まれた全域が開口している。
【００７０】
第二区画部７１２は、第二バスバ８Ｂを囲む角筒状である。この第二区画部７１２の蓄電素子１０側の端部では、第一区画部７１１と同様に、Ｚ軸方向から見て外部端子１４と重なる領域が開口し、他の領域が塞がれている。また、第二区画部７１２の蓄電素子１０とは反対側の端部では、第一区画部７１１と同様に、第二区画部７１２に囲まれた全域が開口している。
【００７１】
カバー部材７では、これら複数の区画部７１がＸ軸方向に並んで区画部７１の列を構成し、この区画部７１の列がＹ軸方向に間隔を空けて二列配置されている。
【００７２】
複数の蓋部７２のそれぞれは、板状の部位であり、折り曲げ可能な部位７２１を介して区画部７１に接続され、この部位７２１を折り曲げることで、区画部７１の蓄電素子１０と反対側の端部開口が塞がれる。これにより、バスバ８が区画部７１と蓋部７２とによって周囲を囲まれた状態となる。本実施形態のカバー部材７では、一つの蓋部７２がＸ軸方向に並ぶ二つの区画部７１の開口を塞ぐ。
【００７３】
配線部７３は、区画部７１の列の間に配置され、電線等の配線スペース等として用いられる。本実施形態の配線部７３には、各蓄電素子１０の温度を測定するためにカバー部材７と蓄電素子１０の蓋板１３２との間に配置されたサーミスタに接続される電線等が配置される。
【００７４】
以上の蓄電装置１の第一バスバ８Ａのように、一対の端縁８１１を有する部位（溶断可能部）８１Ａの両側に幅寸法が拡がる拡幅部８２Ａを設けることで、溶断可能部８１Ａで生じた熱が該溶断可能部８１Ａにこもりやすく、しかも、拡幅部８２Ａに伝わると熱が急激に拡散する（逃げ易くなる）。このため、第一バスバ（導通部）８Ａにおいて熱が生じた場合に、溶断可能部８１Ａに熱がこもって温度が十分に上昇する一方、拡幅部８２Ａの温度が溶断可能部８１Ａの温度より十分に低くなる。これにより、過電流が流れて第一バスバ８Ａの温度が上昇したときに、高温になった溶断可能部８１Ａが素早く溶断して当該蓄電装置１における過電流が流れる経路が迅速に遮断される。その結果、前記過電流に起因する外部端子１４の温度上昇が好適に抑えられる。
【００７５】
また、第一バスバ８Ａに過電流が流れると、溶断可能部８１Ａが溶けたり、熱によって軟化して垂れ下がるため、溶断可能部８１Ａの下方に蓄電素子１０が配置されていると、この溶けた第一バスバ８Ａ（溶断可能部８１Ａ）や、垂れ下がった第一バスバ８Ａが蓄電素子１０の上に落ちる又は蓄電素子１０と接触することで該蓄電素子１０が損傷する場合がある。
【００７６】
しかし、本実施形態の蓄電装置１では、溶断可能部８１ＡがＺ軸方向から見て第一の隣接部材２１と重なる位置に配置され、第一の隣接部材２１のＸ軸方向の寸法が溶断可能部８１ＡのＸ軸方向の寸法以上である。このため、第一バスバ８Ａが第一の隣接部材２１の上側に位置するように蓄電装置１が配置された状態で該蓄電装置１に過電流が流れ、溶断可能部８１Ａが溶断、又は温度上昇によって軟化して垂れ下がっても、溶けた第一バスバ８Ａ（溶断可能部８１Ａ）や垂れ下がった第一バスバ８Ａが蓄電素子１０の上に落ちる又は蓄電素子１０と接触するのを防ぐことができる。
【００７７】
本実施形態の蓄電装置１では、第一バスバ８Ａの幅方向における一対の端縁が、拡幅部８２Ａと応力緩和部８３Ａとの境界位置で屈曲している。このように、第一バスバ８Ａの外部端子１４に固定される部位と溶断可能部８１Ａとの間に拡幅部８２Ａと応力緩和部８３Ａとを設け、これら応力緩和部８３Ａと拡幅部８２Ａとを通じて幅寸法を小さくする（幅寸法を徐々に小さくする）ことで、外部端子１４に固定される部位と溶断可能部８１Ａとの間に拡幅部８２Ａのみを設けて該拡幅部８２Ａのみで幅寸法を急激に小さくする場合に比べ、第一バスバ８Ａにおける前記固定される部位と溶断可能部８１Ａとの間での応力集中を抑えることができる。即ち、幅寸法を急激に小さくする（Ｘ軸方向に狭い範囲で幅寸法を小さくする）と、応力集中が大きくなり易いが、屈曲部を設けることで部分的に幅寸法が小さくなる割合を減らした領域（部位）を設けることで、前記応力集中を抑えている。
【００７８】
しかも、第一バスバ８Ａの一対の端縁を応力緩和部８３Ａと拡幅部８２Ａとの境界位置で屈曲させる、即ち、拡幅の度合いを変えることで、溶断可能部８１Ａから前記固定される部位側への熱の伝わり方（逃げ具体）や応力の各位置での大きさ（応力の分布）を調整し易くなる。即ち、拡幅部８２Ａにおいて熱の拡散（逃げ易さ）を考慮した拡幅を行い、応力緩和部８３Ａ（詳しくは、第一部位８３１）において応力集中を防ぐことを考慮した拡幅を行うことで、前記熱の逃げ具合や応力の分布を調整し易くなる。
【００７９】
また、本実施形態の蓄電装置１では、溶断可能部８１Ａの一対の端縁のそれぞれは、Ｘ軸方向に直線状に延びている。このように、溶断可能部８１Ａの一対の端縁のそれぞれがＸ軸方向に真っ直ぐ延びている（即ち、平行である）場合、Ｘ軸方向の中心部から外側に向かうにつれて幅寸法の大きくなる溶断可能部（バスバ）に比べ、溶断可能部８１ＡのＸ軸方向の中心部で生じた熱が拡幅部８２Ａ側に逃げ難いため熱がよりこもり易い。これにより、第一バスバ８Ａに過電流が流れたときに溶断可能部８１Ａがより素早く溶断する。詳しくは、以下の通りである。
【００８０】
溶断可能部８１ＡのＸ軸方向の各位置での幅寸法が一定である、即ち、溶断可能部８１Ａの一対の端縁８１１がＸ軸方向に真っ直ぐ延び且つ平行であるため、Ｘ軸方向の中心部から外側に向かうにつれて幅寸法の大きくなる溶断可能部（バスバ）に比べ、溶断可能部８１ＡのＸ軸方向の中心部で生じた熱が、拡幅部８２Ａ側に逃げ難い。これにより、第一バスバ８Ａに過電流が流れて溶断可能部８１Ａに熱が発生した場合に、該熱が溶断可能部８１Ａにこもって該溶断可能部８１Ａの温度が上昇し易くなる。その結果、第一バスバ８Ａに過電流が流れたときに、溶断可能部８１Ａが素早く溶断して該過電流の流れる経路が迅速に遮断される。
【００８１】
これに対し、Ｘ軸方向の外側に向かうにつれて幅寸法の大きくなる前記溶断可能部では、本実施形態の溶断可能部８１Ａに比べてＸ軸方向の中心部で生じた熱がＸ軸方向の外側に逃げ易いため、過電流が流れたときに溶断するタイミングが本実施形態の溶断可能部８１Ａより遅れ、これにより、該過電流の流れる経路の遮断が遅れる。その結果、該バスバが接続された蓄電素子の外部端子の温度が上昇し易くなる。
【００８２】
しかも、溶断可能部８１Ａの両側に熱を逃がし易い拡幅部８２Ａが設けられることで、上述のように、溶断可能部８１Ａの温度より拡幅部８２Ａの温度が十分に低くなるため溶断範囲を溶断可能部８１Ａに限定することができる。これにより、第一バスバ８Ａに過電流が流れたときに、溶け落ちた金属（第一バスバ８Ａを構成していた金属）の落下する領域が予想し易くなり、溶け落ちた金属による蓄電素子１０の損傷を防ぐための対策等が容易になる。
【００８３】
また、本実施形態の蓄電装置１では、バスバ８の周囲がカバー部材７（詳しくは、区画部７１と蓋部７２）によって囲まれている。このため、溶けた第一バスバ８Ａ（溶断可能部８１Ａ）が蓄電素子１０の上に落ちるのをより確実に防ぐことができる。
【００８４】
また、本実施形態の蓄電装置１では、第一バスバ８Ａにおける溶断可能部８１Ａの長さ寸法と幅寸法が、蓄電装置１に過電流が流れたときに溶断可能部８１Ａが集電体１５より先に溶断する寸法に設定されている。集電体１５が溶断すると蓄電素子１０が使用できなくなる。このため、本実施形態の蓄電装置１のように、過電流が流れて蓄電装置１の各部位（電流が流れる経路上の各部位）の温度が上昇するような状況のときに、バスバ（第一バスバ８Ａ）を集電体１５より優先的に溶断させて電流の経路を寸断することで、集電体１５の溶断、即ち、蓄電素子１０自体の損傷を防ぐことができる。
【００８５】
次に、本発明の第二実施形態について、図１０を参照しつつ説明するが、上記第一実施形態と同様の構成には同一符号を用いて詳細な説明を繰り返さず、異なる構成についてのみ詳細に説明する。本発明の第二実施形態は、移動体である。
【００８６】
移動体５００は、蓄電装置１と、蓄電装置１が搭載される移動体本体５０１と、蓄電装置１から供給される電力によって移動体本体５０１を駆動する駆動部５０２と、を備える。本実施形態の移動体５００は、自動車であり、移動体本体５０１は、車体であり、駆動部５０２は、モーターである。尚、移動体５００は、自動車に限定されず、航空機、船舶、鉄道、建機等でもよい。即ち、蓄電装置１から供給される電力を利用して移動（走行等）するものであればよい。
【００８７】
この移動体５００において、蓄電装置１は、第一バスバ８Ａの溶断可能部８１Ａの下方に第一の隣接部材２１が位置するように配置される。図１０に示す例では、蓄電装置１は、第一バスバ８Ａの溶断可能部８１Ａの真下に第一の隣接部材２１が位置する姿勢で配置されている。尚、過電流によって溶けた第一バスバ８Ａが第一の隣接部材２１に当たる、又は垂れ下がった第一バスバ８Ａが第一の隣接部材２１に接触する範囲（換言すると、過電流によって溶けた第一バスバ８Ａや垂れ下がった第一バスバ８Ａが第一の隣接部材２１に隣接する蓄電素子１０に当たらない又は接触しない範囲）であれば、蓄電装置１は、図１０の姿勢に対して傾けて配置されてもよい。
【００８８】
本実施形態の移動体５００では、複数の蓄電装置１が同じ姿勢で移動体本体５０１に搭載されている。
【００８９】
以上の移動体５００によれば、当該移動体５００に搭載された蓄電装置１において、過電流が流れて第一バスバ８Ａの温度が上昇したときに、高温になった溶断可能部８１Ａが素早く溶断して当該蓄電装置１における過電流が流れる経路が迅速に遮断され、その結果、過電流に起因する外部端子１４の温度上昇が好適に抑えられる。
【００９０】
しかも、第一バスバ８Ａが第一の隣接部材２１の上側（上方）に位置するように蓄電装置１が配置されているため、該蓄電装置１に過電流が流れて溶断可能部８１Ａが溶断しても、溶けた第一バスバ８Ａ（溶断可能部８１Ａ）が蓄電素子１０（詳しくは、第一バスバ８Ａによって外部端子１４同士が接続されている蓄電素子１０）の上に落ちる、又は垂れ下がって該蓄電素子１０に接触するのが防がれる。
【００９１】
次に、本発明の第三実施形態について、図１１を参照しつつ説明するが、上記第一実施形態と同様の構成には同一符号を用いて詳細な説明を繰り返さず、異なる構成についてのみ詳細に説明する。本発明の第三実施形態は、蓄電システムである。
【００９２】
蓄電システム６００は、蓄電装置１と、蓄電装置１が載置される蓄電システム本体６０１と、蓄電装置１（詳しくは、蓄電装置１の総端子）と接続され、且つ、外部から電力の入力及び外部への電力の出力が可能な入出力端子６０２と、を備える。本実施形態の蓄電システム６００は、風力発電や太陽光発電等に用いられるものであり、蓄電システム本体６０１は、設置場所Ｇに据え付けられる筐体であり、入出力端子６０２は、風車や太陽光電池、外部への送電系統等に接続される端子である。尚、蓄電システム６００は、風車や太陽光電池によって発電した電力を蓄電するものに限定されず、安価な夜間電力を蓄電する家庭用システム、災害に備えて常時一定量の電力を蓄電しておくバックアップシステム等でもよい。
【００９３】
この蓄電システム６００において、蓄電装置１は、第一バスバ８Ａの溶断可能部８１Ａの下方に第一の隣接部材２１が位置するように配置される。図１１に示す例では、蓄電装置１は、第一バスバ８Ａの溶断可能部８１Ａの真下に第一の隣接部材２１が位置する姿勢で配置されている。尚、過電流によって溶けた第一バスバ８Ａが第一の隣接部材２１に当たる、又は垂れ下がった第一バスバ８Ａが第一の隣接部材２１に接触する範囲（換言すると、過電流によって溶けた第一バスバ８Ａや垂れた第一バスバ８Ａが第一の隣接部材２１に隣接する蓄電素子１０に当たらない又は接触しない範囲）であれば、蓄電装置１は、図１１の姿勢に対して傾けて配置されてもよい。
【００９４】
本実施形態の蓄電システム６００では、複数の蓄電装置１が同じ姿勢で蓄電システム本体６０１に載置されている。
【００９５】
以上の蓄電システム６００によれば、当該蓄電システム６００に載置された蓄電装置１において、過電流が流れて第一バスバ８Ａの温度が上昇したときに、高温になった溶断可能部８１Ａが素早く溶断して当該蓄電装置１における過電流が流れる経路が迅速に遮断され、その結果、過電流に起因する外部端子１４の温度上昇が好適に抑えられる。
【００９６】
しかも、第一バスバ８Ａが第一の隣接部材２１の上側（上方）に位置するように蓄電装置１が配置されているため、該蓄電装置１に過電流が流れて溶断可能部８１Ａが溶断しても、溶けた第一バスバ８Ａ（溶断可能部８１Ａ）が蓄電素子１０（詳しくは、第一バスバ８Ａによって外部端子１４同士が接続されている蓄電素子１０）の上に落ちる、又は垂れ下がって該蓄電素子１０に接触するのが防がれる。
【００９７】
尚、本発明の蓄電素子は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００９８】
上記実施形態の第一バスバ８Ａは、応力緩和部８３Ａを有しているが、この構成に限定されない。第一バスバ８Ａは、応力緩和部８３Ａを有しない構成でもよい。即ち、第一バスバ８Ａは、溶断可能部８１Ａと拡幅部８２Ａとを有していればよい。
【００９９】
また、上記実施形態の第一バスバ８Ａは、導通部（本実施形態の例では、溶断可能部８１Ａ、拡幅部８２Ａ、及び応力緩和部８３Ａ）のみによって構成されているが、導通部以外の部位を有していてもよい。
【０１００】
上記実施形態の第一バスバ８Ａにおける拡幅部８２ＡのＹ軸方向の端縁は、円弧状であるが、この構成に限定されない。拡幅部８２ＡのＹ軸方向の端縁は、直線状であってもよい。即ち、拡幅部８２Ａは、Ｚ軸方向から見て、テーパ状であってもよい。
【０１０１】
上記実施形態の第一バスバ８Ａの応力緩和部８３Ａにおける第一部位８３１のＹ軸方向の端縁は、円弧状であるが、この構成に限定されない。第一部位８３１のＹ軸方向の端縁は、直線状であってもよい。即ち、第一部位８３１は、Ｚ軸方向から見て、テーパ状であってもよい。
【０１０２】
ここで、拡幅部８２Ａと第一部位８３１とのそれぞれがテーパ状の場合、第一部位８３１の端縁のＸ軸方向に対する角度は、拡幅部８２Ａの端縁のＸ軸方向に対する角度より小さい。これは、第一部位８３１の端縁のＸ軸方向に対する角度が小さい程、第一部位８３１において応力集中が生じ難くなり、拡幅部８２Ａの端縁のＸ軸方向に対する角度が大きい程、溶断可能部８１Ａで生じた熱が逃げ易くなるからである。
【０１０３】
また、上記実施形態の第一バスバ８Ａにおいて、第一部位８３１のＹ軸方向の端縁は、一つの円弧状であるが、この構成に限定されない。第一部位８３１のＹ軸方向の端縁が、曲率の同一又は異なる複数の円弧が連なることで構成され、且つ、第一部位８３１の幅寸法がＸ軸方向に拡幅部８２Ａから離れる程大きくなる構成でもよい。かかる構成によっても、応力集中を抑えることができる。
【０１０４】
上記実施形態の第一バスバ８Ａにおける応力緩和部８３Ａは、Ｙ軸方向の端縁の形状によって応力集中を抑える第一部位８３１と、弾性変形によって応力集中を抑える第二部位８３２とを、有しているが、この構成に限定されない。応力緩和部８３Ａは、第一部位８３１のみによって構成されてもよい。
【０１０５】
上記実施形態の蓄電装置１では、第一の隣接部材２１が、蓄電装置１のＸ軸方向の中央位置に配置されているが、この構成に限定されない。第一の隣接部材２１は、蓄電装置１のＸ軸方向の１／３や１／４等、途中位置に配置されていればよい。また、蓄電装置１は、複数の第一の隣接部材２１を備えていてもよい。
【０１０６】
上記実施形態の蓄電装置１は、カバー部材７を備えているが、この構成に限定されない。蓄電装置１は、カバー部材７を備えない構成でもよい。
【０１０７】
上記実施形態の蓄電装置１に用いられる蓄電素子１０は、いわゆる巻回型の電極体１２を有しているが、この構成に限定されない。蓄電素子１０は、枚葉状の電極が積層された、いわゆる積層型の電極体でもよく、正極又は負極の少なくとも一方が長尺で且つつづら折りされた（蛇行するように折り返された）電極体でもよい。
【符号の説明】
【０１０８】
１…蓄電装置、２…隣接部材、２１…第一の隣接部材（隣接部材）、２１１…第一本体部、２１１Ａ…連結部、２１２…第一規制部、２１３…係合部、２２…第二の隣接部材、２２１…第二本体部、２２２…第二規制部、２３…第三の隣接部材、２３１…第三本体部、２３２…第三規制部、４…保持部材、４１…終端部材、４１１…本体、４１２…圧接部、４２…連結部材、４２０…梁部、４２１…第一連結部、４２１Ａ、４２１Ｂ…貫通孔、４２２…第二連結部、４２３…第三連結部、６…インシュレータ、７…カバー部材、７１…区画部、７１１…第一区画部、７１２…第二区画部、７２…蓋部、７２１…折り返し可能な部位、７３…配線部、８…バスバ、８Ａ…第一バスバ（バスバ）、８１Ａ…溶断可能部、８１１…Ｙ軸方向の端縁、８２Ａ…拡幅部、８２０…Ｙ軸方向の端縁、８３Ａ…応力緩和部、８３０…端縁、８３１…第一部位、８３２…第二部位、８３２１…固着部、８３２１Ａ…孔、８３２２…起立部、８３２３…延設部、８３２５…第一屈曲部、８３２６…第二屈曲部、８Ｂ…第二バスバ、８０Ｂ…孔、１０…蓄電素子、１２…電極体、１３…ケース、１３１…ケース本体、１３２…蓋板、１４…外部端子、１５…集電体、１５１…第一接続部、１５２…第二接続部、１５３…屈曲部、１６…ケース内絶縁体、１００…蓄電モジュール、１０１…二次電池、１０２…ケース、１０３…正極端子構造、１０４…負極端子構造、１０５…外部接続端子、１０６…バスバ、５００…移動体、５０１…移動体本体、５０２…駆動部、６００…蓄電システム、６０１…蓄電システム本体、６０２…入出力端子、Ｂ…ボルト、Ｇ…設置場所
【図１】
2019029309.tif 000003
【図２】
2019029309.tif 000004
【図３】
2019029309.tif 000005
【図４】
2019029309.tif 000006
【図５】
2019029309.tif 000007
【図６】
2019029309.tif 000008
【図７】
2019029309.tif 000009
【図８】
2019029309.tif 000010
【図９】
2019029309.tif 000011
【図１０】
2019029309.tif 000012
【図１１】
2019029309.tif 000013
【図１２】
2019029309.tif 000014